(57)【要約】  【課題】子機４０が中継機能を有し、従来の中継機を必要としない、呼び出し表示装置を提供する。  【解決手段】それぞれに異なる標識データを含む呼び出し信号を送信スイッチの操作によって送信する複数台の子機４０と、呼び出し信号を受信して標識データに対応する標識を表示手段で表示する親機１０とを備え、子機４０は、自己の同期信号と呼び出し信号を送信する手段と、親機１０と他の子機４０からの同期信号および他の子機４０からの呼び出し信号を受信する手段と、制御手段とを有する。複数台の子機４０を複数の階層に設定する。子機４０は、制御手段により、送信スイッチが操作されると親機１０または上位の階層の他の子機４０からの同期信号を受信して自己の呼び出し信号を送信し、また下位の階層の別の子機４０からの呼び出し信号を受信すると親機１０または上位の階層の他の子機４０からの同期信号を受信して受信した呼び出し信号を送信する。【選択図】  図１
2008205884.tif 000002
【特許請求の範囲】
【請求項１】
それぞれに異なる標識データを含む呼び出し信号を送信スイッチの操作によって送信する複数台の子機と、前記呼び出し信号を受信して前記標識データに対応する標識を表示手段で表示する親機とを備えた呼び出し表示装置であって、前記親機は、同期信号を送信する手段と前記呼び出し信号を受信する手段とを有し、前記子機は、自己の同期信号と前記呼び出し信号を送信する手段と、前記親機と他の前記子機からの同期信号および他の前記子機からの前記呼び出し信号を受信する手段と、制御手段とを有し、前記親機からの第０階層を示す信号が含まれる前記同期信号を受信できる子機を第１階層に設定し、前記親機からの前記同期信号を受信できないが前記第１階層に設定された前記子機からの第１階層を示す信号が含まれる前記同期信号を受信できる前記子機を１つ下位の第２階層に設定し、上位の階層に設定された前記子機からの階層を示す信号が含まれる前記同期信号を受信できる子機を１つ下位の階層に設定して、複数台の前記子機を複数の階層に設定し、前記子機は、前記制御手段により、前記送信スイッチが操作されると前記親機または１つ上位の階層に設定された他の前記子機からの前記同期信号を受信して自己の前記呼び出し信号を送信し、また１つ下位の階層とされた別の前記子機からの前記呼び出し信号を受信すると前記親機または１つ上位の階層とされた他の前記子機からの前記同期信号を受信して受信した前記呼び出し信号を送信するように構成したことを特徴とする呼び出し表示装置。
【請求項２】
それぞれに異なる標識データを含む呼び出し信号を送信スイッチの操作によって送信する複数台の子機と、前記呼び出し信号を受信して前記標識データに対応する標識を表示手段で表示する親機とを備えた呼び出し表示装置であって、前記親機は、同期信号を送信する手段と前記呼び出し信号を受信する手段とを有し、前記子機は、自己の同期信号と前記呼び出し信号を送信する手段と、前記親機と他の前記子機からの同期信号および他の前記子機からの前記呼び出し信号を受信する手段と、制御手段とを有し、前記親機からの第０階層を示す信号が含まれる前記同期信号を受信できる子機を第１階層に設定し、前記親機からの前記同期信号を受信できないが前記第１階層に設定された前記子機からの第１階層を示す信号が含まれる前記同期信号を受信できる前記子機を１つ下位の第２階層に設定し、上位の階層に設定された前記子機からの階層を示す信号が含まれる前記同期信号を受信できる子機を１つ下位の階層に設定して、複数台の前記子機を複数の階層に設定し、前記子機は、前記制御手段により、前記送信スイッチが操作されると前記親機または上位の階層に設定された他の前記子機からの前記同期信号を受信して自己の前記呼び出し信号を送信し、また下位の階層とされた別の前記子機からの前記呼び出し信号を受信すると前記親機または上位の階層とされた他の前記子機からの前記同期信号を受信して受信した前記呼び出し信号を送信するように構成したことを特徴とする呼び出し表示装置。
【請求項３】
請求項１または２記載の呼び出し表示装置において、前記親機は、前記子機からの前記呼び出し信号を受信するとこの呼び出し信号を受信したことを示す確認信号を送信する手段を有し、前記子機は、下位の階層に設定された他の前記子機からの前記呼び出し信号を受信するとこの呼び出し信号を受信したことを示す確認信号を送信する手段とを有して構成したことを特徴とする呼び出し表示装置。  
【請求項４】
請求項１記載の呼び出し表示装置において、前記子機に、受信できる同期信号のなかで最上位の階層を検出する手段と、検出された最上位の前記階層が現在設定されている自己の階層の１つ上位でなければ前記自己の階層を最上位の前記階層から１つ下位の階層に補正する手段を設けて構成したことを特徴とする呼び出し表示装置。
【請求項５】
請求項４記載の呼び出し表示装置において、前記同期信号のなかで最上位の階層を検出する手段は、前記送信スイッチの操作毎に階層補正データを最下位の階層に設定するとともに、受信した同期信号に含まれる階層が前記階層補正データよりも上位であればこれに置き換えて、受信できる最上位の階層を検出するように構成したことを特徴とする呼び出し表示装置。
【請求項６】
請求項３記載の呼び出し表示装置において、前記子機は、前記制御手段により、下位の階層の他の前記子機からの前記呼び出し信号を受信してこの呼び出し信号を前記親機または上位の階層に設定されている他の前記子機に送信したときに、前記親機または上位の階層に設定された他の子機からの前記確認信号が受信できない場合に、前記呼び出し信号から送り戻しを示す信号を付加した送り戻し信号を作成して、下位の階層の他の前記子機からの前記同期信号を受信して前記送り戻し信号を下位の階層の前記子機に送信するように構成したことを特徴とする呼び出し表示装置。
【請求項７】
請求項６記載の呼び出し表示装置において、前記子機は、前記送信スイッチの操作により送信する前記呼び出し信号に送信履歴を示す自己の固有番号を付加して送信し、下位の階層の別の前記子機からの前記呼び出し信号を受信して前記親機または上位の階層の他の前記子機に送信する場合はこの呼び出し信号の前記送信履歴にさらに自己の固有番号を付加して送信し、また前記送信に応じた前記親機または上位の階層の他の前記子機からの前記確認信号が受信できないときは、前記子機は、下位の階層から受信した前記呼び出し信号を送り戻し信号に変換して、その送り戻し信号の前記送信履歴の最上位にある前記子機の固有番号を送信先に設定するとともに前記最上位にある前記固有番号を削除して下位の階層の前記子機に前記送り戻し信号を送信するように構成したことを特徴とする呼び出し表示装置。
【請求項８】
請求項７記載の呼び出し表示装置において、前記子機に、上位の階層の前記子機からの前記送り戻し信号を受信してこの送り戻し信号の前記送信履歴に固有番号の記録がない場合に、自己から送信を開始した前記呼び出し信号が送信エラーになったと判別して警告表示する警告表示手段を設けて構成したことを特徴とする呼び出し表示装置。
【請求項９】
請求項６記載の呼び出し表示装置において、前記子機は、前記送信スイッチの操作により送信する前記呼び出し信号に送信履歴を示す自己の固有番号を付加して送信し、下位の階層の別の前記子機からの前記呼び出し信号を受信して前記親機または上位の階層の他の前記子機に送信する場合はこの呼び出し信号の前記送信履歴にさらに自己の固有番号を付加して送信し、また前記送信に応じた前記親機または上位の階層の他の前記子機からの前記確認信号が受信できないときは、前記子機は、親機または上位の階層に送信しようとした前記呼び出し信号を送り戻し信号に変換して、その送り戻し信号の前記送信履歴の最上位にある前記固有番号を削除して、新たに最上位となる固有番号を送信先に設定して下位の階層の前記子機に前記送り戻し信号を送信するように構成したことを特徴とする呼び出し表示装置。
【請求項１０】
請求項９記載の呼び出し表示装置において、前記子機に、上位の階層の前記子機からの前記送り戻し信号を受信してこの送り戻し信号の前記送信履歴に、自己の固有番号のみが記録されている場合に、自己から送信を開始した前記呼び出し信号が送信エラーになったと判別して警告表示する警告表示手段を設けて構成したことを特徴とする呼び出し表示装置。
【請求項１１】
請求項３記載の呼び出し表示装置において、前記子機は、前記親機または上位の階層にある他の子機からの前記確認信号を受信した後に、上位の送信先の階層の１つ下位に自己の階層を補正する手段を設けて構成したことを特徴とする呼び出し表示装置。
【請求項１２】
請求項１１記載の呼び出し表示装置において、前記上位の送信先の階層を階層補正データとして保存し、前記確認信号を受信した後に、前記階層補正データの１つ下位に自己の階層を補正する手段を設けて構成したことを特徴とする呼び出し表示装置。
【請求項１３】
請求項１または２記載の呼び出し表示装置において、前期同期信号に自己の固有番号を付加して送信し、前記呼び出し信号に送信先の固有番号と送信元である自己の固有番号を付加して送信するように構成したことを特徴とする呼び出し表示装置。
【請求項１４】
請求項３記載の呼び出し表示装置において、前期確認信号に送信先の固有番号と送信元である自己の固有番号を付加して送信するように構成したことを特徴とする呼び出し表示装置。
【発明の詳細な説明】
【技術分野】
【０００１】
本発明は、レストラン等において、客がサービスを要求しているテーブルや座席等を示す標識を表示することにより、サービスすべき客を店員等が知ることができるようにした呼び出し表示装置に関するものである。
【背景技術】
【０００２】
従来の呼び出し表示装置の一例として、特公昭１−２０４８０号公報に示された技術がある。かかる技術は、テーブルや座席等に設置された子機の送信スイッチをサービスを要求している客が操作することで、当該テーブルや座席等を示す標識データを含む呼び出し信号が離れた場所にある厨房等に設置された親機に送信され、この呼び出し信号を受信した親機は、信号に含まれる標識データに基づいて当該テーブルや座席等を示す標識を表示手段で表示するものである。店員等は、どのテーブルや座席等の客が何らかのサービスを要求していることを確実に知ることができる。
【特許文献１】特公昭１−２０４８０号公報
【発明の開示】
【発明が解決しようとする課題】
【０００３】
上述の従来技術にあっては、子機から送信された呼び出し信号を親機が受信できる店内の配置であれば何ら問題はない。しかし、店内の配置によっては、テーブルや座席等に設置された子機から親機までの距離が長すぎ、または死角が存在するなどのより、子機から親機に直接に呼び出し信号が送信できない場合も生ずる。かかる場合に、従来技術にあっては、子機からの信号を親機に転送する中継機が設けられる。この中継機は、適宜な位置に配設されなければならない。そこで、店内のテーブルや座席等の配置を変更した場合には、再び中継機を適正な位置に配設する作業が必要であり、その作業が煩わしいという問題があった。
【０００４】
本発明は、上述のごとき従来技術の問題を改善すべくなされたもので、子機が中継機能も有することで、従来の中継機を必要としないようにした呼び出し表示装置を提供することを目的とする。
【課題を解決するための手段】
【０００５】
かかる目的を達成するために、本発明の呼び出し表示装置は、それぞれに異なる標識データを含む呼び出し信号を送信スイッチの操作によって送信する複数台の子機と、前記呼び出し信号を受信して前記標識データに対応する標識を表示手段で表示する親機とを備えた呼び出し表示装置であって、前記親機は、同期信号を送信する手段と前記呼び出し信号を受信する手段とを有し、前記子機は、自己の同期信号と前記呼び出し信号を送信する手段と、前記親機と他の前記子機からの同期信号および他の前記子機からの前記呼び出し信号を受信する手段と、制御手段とを有し、前記親機からの第０階層を示す信号が含まれる前記同期信号を受信できる子機を第１階層に設定し、前記親機からの前記同期信号を受信できないが前記第１階層に設定された前記子機からの第１階層を示す信号が含まれる前記同期信号を受信できる前記子機を１つ下位の第２階層に設定し、上位の階層に設定された前記子機からの階層を示す信号が含まれる前記同期信号を受信できる子機を１つ下位の階層に設定して、複数台の前記子機を複数の階層に設定し、前記子機は、前記制御手段により、前記送信スイッチが操作されると前記親機または１つ上位の階層に設定された他の前記子機からの前記同期信号を受信して自己の前記呼び出し信号を送信し、また１つ下位の階層とされた別の前記子機からの前記呼び出し信号を受信すると前記親機または１つ上位の階層とされた他の前記子機からの前記同期信号を受信して受信した前記呼び出し信号を送信するように構成されている。
【０００６】
また、それぞれに異なる標識データを含む呼び出し信号を送信スイッチの操作によって送信する複数台の子機と、前記呼び出し信号を受信して前記標識データに対応する標識を表示手段で表示する親機とを備えた呼び出し表示装置であって、前記親機は、同期信号を送信する手段と前記呼び出し信号を受信する手段とを有し、前記子機は、自己の同期信号と前記呼び出し信号を送信する手段と、前記親機と他の前記子機からの同期信号および他の前記子機からの前記呼び出し信号を受信する手段と、制御手段とを有し、前記親機からの第０階層を示す信号が含まれる前記同期信号を受信できる子機を第１階層に設定し、前記親機からの前記同期信号を受信できないが前記第１階層に設定された前記子機からの第１階層を示す信号が含まれる前記同期信号を受信できる前記子機を１つ下位の第２階層に設定し、上位の階層に設定された前記子機からの階層を示す信号が含まれる前記同期信号を受信できる子機を１つ下位の階層に設定して、複数台の前記子機を複数の階層に設定し、前記子機は、前記制御手段により、前記送信スイッチが操作されると前記親機または上位の階層に設定された他の前記子機からの前記同期信号を受信して自己の前記呼び出し信号を送信し、また下位の階層とされた別の前記子機からの前記呼び出し信号を受信すると前記親機または上位の階層とされた他の前記子機からの前記同期信号を受信して受信した前記呼び出し信号を送信するように構成しても良い。
【０００７】
そして、前記親機は、前記子機からの前記呼び出し信号を受信するとこの呼び出し信号を受信したことを示す確認信号を送信する手段を有し、前記子機は、下位の階層に設定された他の前記子機からの前記呼び出し信号を受信するとこの呼び出し信号を受信したことを示す確認信号を送信する手段とを有して構成することもできる。  
【０００８】
さらに、前記子機に、受信できる同期信号のなかで最上位の階層を検出する手段と、検出された最上位の前記階層が現在設定されている自己の階層の１つ上位でなければ前記自己の階層を最上位の前記階層から１つ下位の階層に補正する手段を設けて構成しても良い。
【０００９】
また、前記同期信号のなかで最上位の階層を検出する手段は、前記送信スイッチの操作毎に階層補正データを最下位の階層に設定するとともに、受信した同期信号に含まれる階層が前記階層補正データよりも上位であればこれに置き換えて、受信できる最上位の階層を検出するように構成しても良い。
【００１０】
また、前記子機は、前記制御手段により、下位の階層の他の前記子機からの前記呼び出し信号を受信してこの呼び出し信号を前記親機または上位の階層に設定されている他の前記子機に送信したときに、前記親機または上位の階層に設定された他の子機からの前記確認信号が受信できない場合に、前記呼び出し信号から送り戻しを示す信号を付加した送り戻し信号を作成して、下位の階層の他の前記子機からの前記同期信号を受信して前記送り戻し信号を下位の階層の前記子機に送信するように構成しても良い。
【００１１】
また、前記子機は、前記送信スイッチの操作により送信する前記呼び出し信号に送信履歴を示す自己の固有番号を付加して送信し、下位の階層の別の前記子機からの前記呼び出し信号を受信して前記親機または上位の階層の他の前記子機に送信する場合はこの呼び出し信号の前記送信履歴にさらに自己の固有番号を付加して送信し、また前記送信に応じた前記親機または上位の階層の他の前記子機からの前記確認信号が受信できないときは、前記子機は、下位の階層から受信した前記呼び出し信号を送り戻し信号に変換して、その送り戻し信号の前記送信履歴の最上位にある前記子機の固有番号を送信先に設定するとともに前記最上位にある前記固有番号を削除して下位の階層の前記子機に前記送り戻し信号を送信するように構成しても良い。
【００１２】
また、前記子機に、上位の階層の前記子機からの前記送り戻し信号を受信してこの送り戻し信号の前記送信履歴に固有番号の記録がない場合に、自己から送信を開始した前記呼び出し信号が送信エラーになったと判別して警告表示する警告表示手段を設けて構成しても良い。
【００１３】
また、前記子機は、前記送信スイッチの操作により送信する前記呼び出し信号に送信履歴を示す自己の固有番号を付加して送信し、下位の階層の別の前記子機からの前記呼び出し信号を受信して前記親機または上位の階層の他の前記子機に送信する場合はこの呼び出し信号の前記送信履歴にさらに自己の固有番号を付加して送信し、また前記送信に応じた前記親機または上位の階層の他の前記子機からの前記確認信号が受信できないときは、前記子機は、親機または上位の階層に送信しようとした前記呼び出し信号を送り戻し信号に変換して、その送り戻し信号の前記送信履歴の最上位にある前記固有番号を削除して、新たに最上位となる固有番号を送信先に設定して下位の階層の前記子機に前記送り戻し信号を送信するように構成しても良い。
【００１４】
また、前記子機に、上位の階層の前記子機からの前記送り戻し信号を受信してこの送り戻し信号の前記送信履歴に、自己の固有番号のみが記録されている場合に、自己から送信を開始した前記呼び出し信号が送信エラーになったと判別して警告表示する警告表示手段を設けて構成しても良い。
【００１５】
また、前記子機は、前記親機または上位の階層にある他の子機からの前記確認信号を受信した後に、上位の送信先の階層の１つ下位に自己の階層を補正する手段を設けて構成しても良い。
【００１６】
また、前記上位の送信先の階層を階層補正データとして保存し、前記確認信号を受信した後に、前記階層補正データの１つ下位に自己の階層を補正する手段を設けて構成しても良い。
【００１７】
また、前期同期信号に自己の固有番号を付加して送信し、前記呼び出し信号に送信先の固有番号と送信元である自己の固有番号を付加して送信するように構成しても良い。
【００１８】
また、前期確認信号に送信先の固有番号と送信元である自己の固有番号を付加して送信するように構成しても良い。
【発明の効果】
【００１９】
請求項１記載の呼び出し表示装置にあっては、親機からの第０階層を示す信号が含まれる同期信号を受信できる子機を第１階層に設定し、親機からの同期信号を受信できないが第１階層に設定された子機からの第１階層を示す信号が含まれる同期信号を受信できる子機を１つ下位の第２階層に設定し、上位の階層に設定された子機からの階層を示す信号が含まれる同期信号を受信できる子機を１つ下位の階層に設定して、複数台の子機を複数の階層に設定し、送信スイッチが操作されると親機または１つ上位の階層に設定された他の子機からの同期信号を受信して自己の呼び出し信号を送信し、また１つ下位の階層とされた別の子機からの呼び出し信号を受信すると親機または１つ上位の階層とされた他の子機からの同期信号を受信して受信した呼び出し信号を送信するようにしたので、上位の階層にある子機が下位の階層にある子機の中継機として機能する。もって、複数の階層のそれぞれの子機を店内の適宜な位置に配設することで、従来のごとき中継機が不要である。
【００２０】
請求項２記載の呼び出し表示装置にあっては、通信状況の改善等により２つ以上上位の階層からの同期信号も受信できる状態となれば、その通信状況に応じて呼び出し信号を２つ以上上位の親機または他の子機にも送信がなされ。そこで、少ない中継回数で親機まで呼び出し信号を送信できる可能性があり、この少ない中継回数で送信できる分だけ、親機まで送信する通信の信頼性が向上する。
【００２１】
請求項３記載の呼び出し表示装置にあっては、親機は子機からの呼び出し信号を受信するとこの呼び出し信号を受信したことを示す確認信号を送信し、子機は下位の階層に設定された他の子機からの呼び出し信号を受信するとこの呼び出し信号を受信したことを示す確認信号を送信するので、呼び出し信号を送信した子機は確認信号を受信することで、確実に信号が伝送されたことを確認し得る。
【００２２】
請求項４記載の呼び出し表示装置にあっては、受信できる同期信号から最上位の階層を検出して自己の階層をその１つ下位の階層に補正することができるので、親機および子機の配設される位置が変更されても、それぞれの子機が適正な階層となって、いずれの位置に配設された子機も、直接または他の子機を介して親機に信号を伝送させることができる。
【００２３】
請求項５記載の呼び出し表示装置にあっては、同期信号から最も上位の階層を検出する手段は、送信スイッチの操作毎に階層補正データを最下位の階層に設定し、受信した同期信号に含まれる階層が上位であればこれに置き換えるので、簡単な構成で受信できる最上位の階層を検出することができる。
【００２４】
請求項６記載の呼び出し表示装置にあっては、子機は、下位の階層の他の子機からの呼び出し信号を受信して、親機または上位の階層の他の子機に転送したときに、親機または上位の階層の他の子機からの確認信号が受信できない場合に、呼び出し信号から送り戻しを示す信号を付加した送り戻し信号を作成して、これを下位の階層の他の子機に送信するので、下位にある子機は自己の信号が親機まで適正に転送されなかったことを判別し得る。
【００２５】
請求項７および９記載の呼び出し表示装置にあっては、子機は送信スイッチの操作により送信する呼び出し信号に送信履歴を示す自己の固有番号を付加して送信し、下位の階層の別の子機からの呼び出し信号を受信して上位の階層の他の子機に送信する場合はこの呼び出し信号の送信履歴にさらに自己の固有番号を付加して送信するので、送信経路が明らかであり、適正に転送できない場合に、逆の経路で呼び出し信号を送り戻しすることができる。
【００２６】
請求項８記載の呼び出し表示装置にあっては、子機は送り戻された送り戻し信号の送信履歴に固有番号の記録が全く無いと、自己から送信を開始した呼び出し信号が送信エラーになったことを判別できて、警告表示をすることができる。
【００２７】
請求項１０記載の呼び出し表示装置にあっては、子機は送り戻された送り戻し信号の送信履歴に自己の固有番号のみが記録されていれば、自己から送信を開始した呼び出し信号が送信エラーになったことを判別できて、警告表示をすることができる。
【００２８】
請求項１１記載の呼び出し表示装置にあっては、子機は、親機または上位の階層にある他の子機からの確認信号を受信して、呼び出し信号の送信が成功したことが確認された後に、上位の送信先の階層の１つ下位に自己の階層を補正するので、通信状況が一時的に改善されて、２つ以上上位の階層からの同期信号を受信してこれに応じて呼び出し信号を送信したが、その後に通信状況が変化して確認信号が受信できないような場合にも、不具合を生じない。２つ以上上位の階層からの同期信号を受信して、呼び出し信号を送信する前に自己の階層を補正した場合には、確認信号が受信できないと、再び自己の階層を補正しなければならない。
【００２９】
請求項１２記載の呼び出し表示装置にあっては、確認信号を受信した後に、保存した階層補正データにより自己の階層を、上位の送信先の階層の１つ下位に補正するので、簡単な構成で自己の階層を適正なものに補正することができる。
【００３０】
請求項１３記載の呼び出し表示装置にあっては、同期信号に自己の固有番号を付加して送信するので、この同期信号を受信した子機は親機または他のいずれの子機から送信されたものか識別し得る。また、呼び出し信号に送信先の固有番号と送信元である自己の固有番号を付加して送信するので、この呼び出し信号を受信した親機または他の子機は、いずれの子機から送信されたものか識別できる。
【００３１】
請求項１４記載の呼び出し表示装置にあっては、確認信号に送信先の固有番号と送信元である自己の固有番号を付加して送信するので、この確認信号を受信した子機は、親機またはいずれの子機から送信されたものか識別できる。
【発明を実施するための最良の形態】
【００３２】
以下、本発明の第１実施例を図１ないし図１０を参照して説明する。図１は、本発明の呼び出し表示装置の一実施例の親機と各階層に設定された子機の通信関係を示す図である。図２は、本発明の呼び出し表示装置の第１実施例の親機の機能ブロック図である。図３は、図２に示す親機の状態遷移図である。図４は、本発明の呼び出し表示装置の第１実施例の子機の機能ブロック図である。図５は、図４に示す子機の状態遷移図である。図６は、送受信される信号のフォーマットの一例を示す図である。図７は、親機と第１階層の子機または１つ階層の異なる子機間の信号の送受信のタイミングを示すタイミングチャートである。図８は、ある階層に設定された子機が移動されて異なる階層となるエリア内に配設されたときの階層の補正を示す図である。図９は、子機による中継機能で上位への呼び出し信号の転送が失敗すると下記の階層の子機に送り戻し信号を送り戻すことを示す図である。図１０は、中継により上位に転送されるときの呼び出し信号の送信履歴の内容と、転送が失敗して送り戻し信号を送り戻すときの送信履歴の内容を示す図である。
【００３３】
まず、本発明の呼び出し表示装置の第１実施例において、図１に示すごとく、１台の親機１０と複数台の子機４０ａ、４０ｂ、４０ｃ、４０ｄとからなる。そして、親機１０自体を第０階層とし、この親機１０から送信する同期信号を受信できるエリア内にある子機４０ａを第１階層とし、親機１０からの同期信号は受信できないが第１階層に設定された子機４０ａから送信される同期信号を受信できるエリア内にある子機４０ｂを第２階層とする。親機１０と第１階層の子機４０ａからの同期信号は受信できないが第２階層の子機４０ｂからの同期信号が受信できるエリア内にある子機４０ｃを第３階層とする。同様にして、第４階層の子機４０ｄまで設定する。なお、この階層の数は、第１実施例の説明では４であるが、２以上の適宜な数に選定できることは勿論であり、各階層に配設される子機４０の数は、１台に限られることなしに、１台以上であれば良いことは勿論である。そこで、親機１０と第１階層の子機４０ａとの間で相互に送受信が可能であり、第１と第２階層の子機４０ａ、４０ｂの間の相互通信が可能であり、同様に、第２と第３階層の子機４０ｂ、４０ｃの間および第３と第４階層の子機４０ｃ、４０ｄの間の相互通信がそれぞれに可能である。
【００３４】
かかる構成とすることで、店内の配置によっては、親機１０に直接的には通信ができない子機４０であっても、上位の階層に設定された他の子機４０を中継機として介して親機１０との相互通信が可能となる。しかも、子機４０が配置されたエリアにより親機１０との間の通信状況が相違するが、その状況に応じて自己が設定される階層が適宜に変更されるようにすることで、従来のこの種の技術のごとき中継機を必要とせず、店内の配置変更を容易にできる。
【００３５】
本発明の呼び出し表示装置の第１実施例の親機１０の構造は、図２に示すごとく、信号を無線電波に変換して送受信する無線手段１２と、テーブルや座席等の標識を表示する７セグメント等の表示手段１４と、要求されたサービス等が終了したときに表示手段１４で表示されている標識を消すための取消スイッチ１６と、マイコン１８とからなる。このマイコン１８には、無線手段１２の送受信動作を制御する無線制御手段２０と、親機１０の状態を制御するアプリケーション２２を含む。さらに、アプリケーション２２から所定周期で出力される同期送信要求が同期送信処理２４に与えられ、この同期送信処理２４から同期信号が無線制御手段２０に与えられ、無線手段１２から同期信号が送信される。そして、後述する子機４０からの呼び出し信号を無線手段１２で受信すると、この呼び出し信号が無線制御手段２０を介してデータ識別処理２６に与えられ、呼び出し信号であると識別されるとこれがデータ受信処理２８に与えられ、標識を含むデータであるデータ受信処理通知がアプリケーション２２に与えられて、表示手段１４に標識が表示される。また、データ受信処理２８からＡＣＫ送信処理３０にＡＣＫ送信要求がなされ、ＡＣＫ送信処理３０からの確認信号（呼び出し信号を受信したことを送信元に知らせるための信号で、以下ＡＣＫ信号と称する。）が無線制御手段２０に与えられて無線手段１２からＡＣＫ信号が送信される。
【００３６】
かかる親機１０の状態遷移は、図３に示すごとく、まず電源がＯＮ（ステップ１）されると、アプリケーション２２が待機状態（ステップ２）となり、同期信号を周期的に送信する待機時間（例えば、２０ｍｓに設定）の進行が開始され、その測定を開始し、その時間が経過すると、同期信号の送信がなされる（ステップ３）。そして、同期信号の送信に応答した子機４０からの呼び出し信号の受信を待つデータ受信待ち（ステップ４）となる。ここで、子機４０からの呼び出し信号が受信されると、ＡＣＫ信号を送信元の子機４０に向けて送信して（ステップ５）、待機状態（ステップ２）へ戻る。ステップ４のデータ受信待ちで、データ受信待ち時間（例えば、３ｍｓに設定）が経過するまでの間に呼び出し信号が受信されなければ、待機状態（ステップ２）へと戻る。
【００３７】
また、本発明の呼び出し表示装置の第１実施例の子機４０の構造は、図４に示すごとく、信号を無線電波に変換して送受信する無線手段１２と、テーブルや座席等の標識の送信を操作するための送信スイッチ４２と、信号の送信に失敗したときに送信エラーを表示するためのブザー等の警告表示手段４４と、マイコン４６とからなる。このマイコン４６には、親機１０のマイコン１８と同様に、無線手段１２の送受信動作を制御する無線制御手段２０と、同期送信処理２４とデータ識別処理２６とデータ受信処理２８およびＡＣＫ送信処理３０を含み、これに加えて、階層識別処理４８と送信プロトルコ管理処理５０と子機４０の状態遷移を制御するアプリケーション５２およびデータ送信処理５４とを含む。そして、無線手段１２で受信された信号が同期信号であることがデータ識別処理２６で識別されると、その同期信号が階層識別処理４８に与えられ、送受信するのに適正な階層からの同期信号である場合に、階層識別処理４８から送信プロトルコ管理処理５０に送信許可がなされ、アプリケーション５２からのデータ送信要求に基づき、データ送信処理５４から呼び出し信号を無線手段１２から送信するように指示がなされる。また、データ識別処理２６にて、無線手段１２で受信した信号が、ＡＣＫ信号であると識別されると、その旨が送信プロトルコ管理処理５０に指示されて、送信プロトルコ管理処理５０からアプリケーション５２にデータ送信終了通知がなされる。
【００３８】
かかる子機４０の状態遷移は、図５に示すごときものであるが、ステップ１〜４は、図３に示す親機１０と同じであり、重複する説明を省略する。ステップ４のデータ受信待ちにおいて、下位の階層の子機４０からの呼び出し信号が受信されると、ＡＣＫ送信（ステップ５）がなされて、受信した下位の階層の子機４０からの呼び出し信号を親機１０または上位の階層にある他の子機４０に中継すべく、親機１０または上位の階層にある他の子機４０から送信される同期信号の受信を待つ同期受信待ち（ステップ６）となる。そして、親機１０または上位の階層にある子機４０からの同期信号を受信すると、中継すべき呼び出し信号を送信するデータ送信（ステップ７）となり、さらに親機１０または上位の階層の子機４０から送信されるＡＣＫ信号の受信を待つＡＣＫ受信待ち（ステップ８）となる。このＡＣＫ受信待ちで、所定のＡＣＫ信号が受信されると待機状態（ステップ２）となる。しかしながら、ステップ８のＡＣＫ受信待ちで、所定時間（例えば、１５ｍｓ）が経過しても所定のＡＣＫ信号が受信できなければ、再度ステップ６の同期受信待ちとなる。このステップ８からステップ６の同期受信待ちへの移行と、ステップ５またはステップ２からステップ６の同期受信待ちへの移行は、後述するごとく、少しばかり異なる。なお、下位の階層の子機４０への送り戻し信号の送信にあっては、ステップ６で下位の階層の子機４０からの同期信号が受信されると、データ送信（ステップ７）がなされる。そして、下位の階層の子機４０からの同期信号を受信できなければ、ステップ２の待機状態となる。一方、待機状態（ステップ２）において、サービス等の要求のために客等により送信スイッチ４２が操作されると、同期受信待ち（ステップ６）となり、親機１０または上位の階層の子機４０からの同期信号の受信を待ち、同期信号が受信されると、ステップ７のデータ送信がなされる。しかし、同期信号の受信ができなければ、送信に失敗したものと判断して、送信エラー（ステップ９）となり、警告表示手段４４で警告表示がなされた後に待機状態（ステップ２）に戻る。なお、ステップ５のＡＣＫ送信において、ＡＣＫ信号の送信ができない場合は、送信エラー（ステップ９）となる。
【００３９】
本発明における親機１０と子機４０の間の通信、および子機４０、４０間の通信に用いる信号のフォーマットの一例は、図６に示すごときものであり、型番とコマンドとアドレスとデータと送信履歴をそれぞれに記録する部分が、適宜な順番で適宜なビット数で設定されている。型番には、本発明装置の形式等を示す信号が記録される。そして、同期信号であれば、コマンドに同期信号であることを示す信号が記録され、アドレスには送信元である親機１０または子機４０の固有番号が記録され、データには自己が現時点で設定されている階層を示す信号が記録され、送信履歴には何も記録されない。また、ＡＣＫ信号であれば、コマンドに、ＡＣＫ信号であることを示す信号が記録され、アドレスには送信先と送信元の親機１０または子機４０の固有番号が記録され、データには必要により適宜な内容を示す信号が記録され、送信履歴には何も記録されない。そして、親機１０に標識を表示させるための呼び出し信号であれば、コマンドに呼び出し信号であることを示す信号が記録され、アドレスには送信先と送信元の固有番号が記録され、データには標識を示す信号が記録され、送信履歴には自己からの送信を始めた場合には自己の固有番号を記録し、中継する場合には送信履歴にすでに記録されている信号を下位方向に１つシフトさせて最上位に自己の固有番号を記録する。さらに、上位から下位の階層に送り戻される送り戻し信号は、コマンドに送り戻しを示す信号が記録され、アドレスには送信先と送信元の固有番号が記録され、データにはこの送り戻し信号のもととなる呼び出し信号と同じ内容がそのまま記録され、送信履歴は後述するごとく書き換えられる。
【００４０】
そして、本発明の呼び出し表示装置では、親機１０と第１階層にある子機４０ａとの間、第１階層と第２階層の子機４０a、４０ｂとの間、第２階層と第３階層の子機４０ｂ、４０ｃとの間、第３階層と第４階層の子機４０ｃ、４０ｄとの間で相互に送受信がなされるが、呼び出し信号を自己から送信を開始した子機４０と親機１０との間の階層にある他の子機４０が、中継機として作用する。この動作は、まず送信スイッチ４２が操作されて、呼び出し信号を自己から送信する子機４０ｂが例えば第２階層だとすると、送信スイッチ４２が操作されると１つ上位の階層にある第１階層の子機４０ａからの同期信号の受信を待ち、その同期信号が受信されると呼び出し信号を第１階層の当該子機４０ａに向けて送信する。この第２階層の子機４０ｂからの呼び出し信号を受信した第１階層の子機４０ａは、第２階層の子機４０ｂに向けてＡＣＫ信号を送信する。この第１階層の子機４０ａからのＡＣＫ信号を受信した第２階層の子機４０ｂは、送信が完了したと判別して待機状態となる。また、第２階層の子機４０ｂからの呼び出し信号を受信した第１階層の子機４０ａは、さらに１つ上位の階層にある親機１０からの同期信号の受信を待ち、その同期信号が受信されると下位の階層から受信した呼び出し信号を親機１０に向けて送信する。これを受信した親機１０は、第１階層の子機４０ａにＡＣＫ信号を送信し、また表示手段１４で標識を表示する。なお、親機１０からＡＣＫ信号を受信した第１階層の子機４０ａは待機状態となって所定の時間が経過すると同期信号を送信する。このようにして、第１階層にある子機４０ａは親機１０に対して直接に、第２階層以下にある子機４０ｂ、４０ｃ、４０ｄは自己と親機１０の間にある上位の階層にある子機４０、４０…を順次に１階層ずつ上位に向けて呼び出し信号が中継されていくことで、親機１０に送信することができる。
【００４１】
ところで、子機４０、４０…にあっては、店内の配設される位置に応じて予め切換スイッチ等により階層の設定が手動でなされても良い。しかし、配設される位置が変更された子機４０、４０…に対して適正な階層が設定されなければ、適正な通信がなされない。そこで、例えば図８に示すごとく、第１階層のエリア内にあった子機４０ｆが何らかの理由で第４階層のエリア内に移動配設されたとすると、この子機４０ｆはその階層が、後述するごとく、第１階層から第４階層に補正されるようになっている。また、同様に、第３階層にあった子機４０ｇが移動されて第２階層のエリア内に配設されると、この子機４０ｇは第２階層に補正される。このように子機４０、４０…に設定される階層が、移動配設されたエリアに応じて補正されることで、店内の配置を換える際に、子機４０、４０…を自由に配設することが可能である。
【００４２】
そしてまた、下位の階層にある子機４０の送信スイッチ４２が操作されて、中間の階層にある他の子機４０を介して親機１０まで呼び出し信号が適正に送信されて、標識が親機１０の表示手段１４に表示されれば良いが、途中で中継が失敗したとすると、送信スイッチ４２が操作された子機４０においてブザー等の警告表示がなされる必要がある。例えば、図９に示す事例は、第４階層にある子機４０ｄの送信スイッチ４２が操作されて呼び出し信号が送信され、これが第３階層の子機４０ｃを介して第２階層の子機４０ｂまで中継されたが、第２階層の子機４０ｂから第１階層の子機４０ａへの中継が失敗したものである。すると、１つ上位の階層の子機４０ａへの転送を失敗した第２階層の子機４０ｂは、第３階層の子機４０ｃから受信した呼び出し信号を送り戻し信号に変換して第３階層の子機４０ｃに送り戻し、さらに第３階層の子機４０ｃは、第４階層の子機４０ｄにこの送り戻し信号を送り戻す。第４階層の子機４０ｄにあっては、送り戻された送り戻し信号が自己から送信を開始した呼び出し信号が書き換えられて作成されたものと判別すれば、送信エラーとして警告表示手段４４を動作させる。
【００４３】
この呼び出し信号の送り戻しを行うには、上位の階層に向けて中継された呼び出し信号の送信経路を逆にたどって送り戻しがなされる。図１０は、第４階層の子機４０ｄから送信が開始された呼び出し信号が第１階層の子機４０ａまで中継されたが、親機１０への中継に失敗し、第１階層の子機４０ａから逆に第４階層の子機４０ｄまで送り戻し信号が送り戻される例の送信履歴の変化を示すものである。送信スイッチ４２の操作で、呼び出し信号を送信する第４階層の子機４０ｄは、呼び出し信号の送信履歴に自己の固有番号、例えばｄｄを記録する。そして、この呼び出し信号を受信した第３階層の子機４０ｃは、送信履歴を下位方向に１つシフトさせて最上位に自己の固有番号ｃｃを記録して、第２階層の子機４０ｂに送信する。そしてさらに、この呼び出し信号を受信した第２階層の子機４０ｂは、送信履歴をシフトさせて最上位に自己の固有番号ｂｂを記録して、第１階層の子機ａａに送信する。そしてさらに、この呼び出し信号を受信した第１階層の子機４０ａは、送信履歴をシフトさせて最上位に自己の固有番号ａａを記録して親機１０に送信する。ここで、送信履歴の容量は、固有番号を３つまでしか記録できず、第４階層の子機４０ｄの固有番号ｄｄが削除された状態となる。第１階層の子機４０ａから親機１０への中継が失敗すると、第１階層の子機４０ａは、第２階層の子機４０ｂから受信した呼び出し信号のコマンドを送り戻し信号を示す信号に書き換えて送り戻し信号に変換し、またアドレスに送信履歴の最上位にある固有番号ｂｂの第２階層の子機４０ｂを送信先として記録し、さらに送信履歴から最上位にある固有番号ｂｂを削除して送り戻す。この送り戻し信号を受信した第２階層の子機４０ｂは、送信履歴の最上位の固有番号ｃｃをアドレスの送信先に記録するとともに送信履歴の最上位にある固有番号ｃｃを削除して送り戻す。さらに、この送り戻し信号を受信した第３階層の子機４０ｃは、同様にして送信履歴の最上位の固有番号ｄｄをアドレスの送信先に記録するとともに送信履歴の最上位にある固有番号ｄｄを削除して送り戻す。ここで、送信履歴には、固有番号の記録が無い状態となる。そこで、この送り戻し信号を受信した第４階層の子機４０ｄは、送信履歴に固有番号が記録されていないことから、自己から送信を開始した呼び出し信号が途中で中継に失敗して送り戻し信号として送り戻されたものと判別できる。第２、第３、第４階層の子機４０ｂ、４０ｃ、４０ｄのいずれにあっても、上述のごとくして、送り戻された送り戻し信号の送信履歴を参照して、自己から送信を開始した呼び出し信号が途中で中継に失敗して送り戻されたものと判別できる。そして、第１階層の子機４０ａにあっては、親機１０からのＡＣＫ信号が受信できないことで、中継に失敗したことが判別できる。
【００４４】
さらに、図３に示す親機１０の状態遷移の各動作につき、図１１ないし図１４を参照してより詳しく説明する。図１１は、図３のステップ１、２の動作を示すフローチャートである。図１２は、図３のステップ３の動作を示すフローチャートである。図１３は、図３のステップ４の動作を示すフローチャートである。図１４は、図３のステップ５の動作を示すフローチャートである。なお、図１１ないし図１４に示すＡ、Ｂ、Ｃ、Ｄは、図３に示す符号に対応させてある。
【００４５】
図１１において、親機１０の電源がＯＮされると（ステップ１）、待機状態（ステップ２）に移行し、まず同期信号を送信する予め設定された間隔時間の進行が開始されてその測定が開始される（ステップ２−１）。この間隔時間が経過すると（ステップ２−２）、ステップ３の同期送信へと移行する。図１２に示す同期送信は、送信する信号のコマンドに同期信号であることを示す信号を記録し、アドレスに自己の固有番号を送信元として記録し、データに自己が現在設定されている親機１０としての第０階層を示す信号を記録する（ステップ３−１）。そして、かかる信号を同期信号として送信し（ステップ３−２）、ステップ４のデータ受信待ちに移行する。図１３に示すデータ受信待ちは、データ待ち時間の測定が開始され（ステップ４−１）、この時間内にデータ受信がなされると（ステップ４−２）、ステップ５のＡＣＫ送信に移行し、データ受信がなければ引き続きデータ受信待ち時間の経過が判別され（ステップ４−３）、データ受信されずに待ち時間が経過すると、ステップ２の待機状態に移行する。図１４に示すＡＣＫ送信は、受信した呼び出し信号のコマンドをＡＣＫ信号であること示す信号に書き換え、アドレスに自己の固有番号を送信元として受信した呼び出し信号の送信元を新たな送信先として記録する。送信履歴はクリアする（ステップ５−１）。そして、このＡＣＫ信号を送信して（ステップ５−２）、ステップ２の待機状態に移行する。
【００４６】
かかる親機１０の動作にあっては、予め設定された間隔で同期信号を送信し、この同期信号に応じて子機４０、４０…から送信された呼び出し信号が受信されると、送信元の子機４０、４０…にＡＣＫ信号を送信して、待機状態となる。また、同期信号を送信しても、所定時間内に子機４０、４０…からの呼び出し信号の受信がなければ、待機状態となる。なお、呼び出し信号の受信により、表示手段４４でテーブルや座席等の標識を表示することは、従来のこの種の装置と同様である。
【００４７】
さらにまた、図５に示す子機４０の状態遷移の各動作につき、図１５ないし図２３を参照してより詳しく説明する。図１５は、図５のステップ１、２の動作を示すフローチャートである。図１６は、図５のステップ５の動作を示すフローチャートである。図１７は、図５のステップ６の動作の一部を示すフローチャートである。図１８は、図５のステップ６の動作の残りの一部を示すフローチャートである。図１９は、図１８のステップ６−８の階層補正の動作を示すフローチャートである。図２０は、図１８の下位中継準備の動作を示すフローチャートである。図２１は、図１８のステップ６−１１の階層補正データ更新の動作を示すフローチャートである。図２２は、図５のステップ７の動作を示すフローチャートである。図２３は、図５のステップ８の動作を示すフローチャートである。なお、図５のステップ３、４は、図３のステップ３、４と同じであり、重複する説明は省略した。また、図１５ないし図２３に示すＡ、Ｂ、Ｃ、Ｄ、Ｅ、Ｆ、Ｇ、Ｈ、Ｉは、図５に示す符号に対応させてある。
【００４８】
図１５において、子機４０の電源がＯＮされると（ステップ１）、待機状態（ステップ２）に移行し、まず同期信号を周期的に送信する予め設定された間隔時間（例えば、１．６〜２．１ｍｓの間でランダムに設定される）の進行が開始されて測定が開始され（ステップ２−１）、この間隔時間が経過すると（ステップ２−２）、ステップ３の同期送信へと移行することは、親機１０と同じである。しかし、子機４０にあっては、同期信号を送信する間隔時間の間に送信スイッチ４２が操作されると（ステップ２−３）、ステップ６の同期受信待ちに移行する。そして、子機４０におけるステップ５のＡＣＫ送信は、図１６に示すごとく、受信した呼び出し信号のコマンドをＡＣＫ信号であること示す信号に書き換え、アドレスに自己の固有番号を送信元として受信した呼び出し信号の送信元を新たな送信先として記録し、送信履歴はクリアして（ステップ５−１）、このＡＣＫ信号を送信して（ステップ５−２）、ステップ２の待機状態に移行することは親機１０と同様である。しかるに、子機４０にあっては、受信した信号が上位階層からの送り戻し信号であればそ送信履歴に固有番号が記録されているか否かを判別し（ステップ５−３）、記録がなければステップ９の送信エラーと判別して適宜に警告表示を行って、ステップ２の待機状態に戻る。また、送信履歴に固有番号の記録があれば、ステップ６の同期受信待ちとなって、さらに下位の階層からの同期信号の受信を待ち受ける。
【００４９】
ステップ６の同期受信待ちは、図１７と図１８に示すごとく、親機１０または他の子機４０からの同期信号の受信待ち時間の進行を開始してこれの測定を始めるとともに、階層補正データａを「４」とする（ステップ６−１）。なお、この「４」は、第１実施例において複数台の子機４０、４０…が、第１〜第４階層に設定されるようにした階層の数に応じたものであり、その階層の数によって値が異なる。さらに、呼び出し信号を上位の親機１０または子機４０に送信しようとするか、送り戻し信号を下位の階層の他の子機４０に送信しようとするのかが判別される（ステップ６−２）。この判別は、信号のコマンドに記録されている送り戻しを示す信号の記録の有無により判別し得る。これは、自己の送信スイッチ４２の操作により上位の階層に呼び出し信号を送信する場合および下位の階層の他の子機４０から受信した呼び出し信号を中継機として上位の階層の他の子機４０または親機１０に送信する場合と、下位の階層の他の子機４０からの呼び出し信号が親機１０までの途中で中継に失敗して送り戻し信号として上位から下位の階層の子機４０に中継する場合および自己から上位への中継の失敗で下位へ送り戻す場合とを、分けるためである。上位への送信と中継であれば、まず同期受信待ち時間の経過が判別され（ステップ６−３）、その待ち時間内に同期信号が受信されると（ステップ６−４）、後述する階層補正データ更新を行い（ステップ６−５）、さらに受信された同期信号が上位の階層からのものか否かが判別され（ステップ６−６）、上位の階層からの同期信号でなければ、ステップ６−３に戻る。上位の階層からの同期信号であれば、２つ以上の上位の階層からのものか否かが判別され（ステップ６−７）、２つ以上の上位の階層からであれば、後述する階層補正（ステップ６−８）を経てステップ７のデータ送信へ移行する。ステップ６−７で、２つ以上の上位の階層からでなければ、これは１つ上位の階層からの同期信号であり、直ちにステップ７のデータ送信に移行する。また、同期受信待ち時間が経過すると（ステップ６−３）、後述する階層補正（ステップ６−９）を経て上位への中継か否かが判別され（ステップ６−１０）、上位への中継でなければこれは自己の送信スイッチ４２の操作により送信が開始された呼び出し信号が途中での送信失敗したものと判断してステップ９の送信エラーとなって適宜に警告表示がなされて、ステップ２の待機状態に移行する。ステップ６−１０で、上位への中継であると判別されると、これは下位から受信した呼び出し信号の上位または親機へ中継する送信が失敗したものであり、後述する下位中継準備（ステップ６−１１）を経て、ステップ６の同期受信待ちに移行する。
【００５０】
また、ステップ６−２において、下位への送信と中継であれば、同期受信待ち時間が経過したか否を判別して（ステップ６−１２）、経過後にステップ２の待機状態に移行する。そして、時間内に同期信号が受信されると（ステップ６−１３）、送信先からの同期信号であるか否かが判別され（ステップ６−１４）、送信先からの同期信号であればステップ７のデータ送信に移行する。そして、ステップ６−１４で送信先からの同期信号でなければ同期受信待ち時間の経過を引き続き計測し続ける。後述するステップ８のＡＣＫ受信待ちで、ＡＣＫ受信がなされないと、図１７の同期受信待ちのフローチャートで、ステップ１の後段のステップ６−２の下位への送信と中継に移行する。そこで、下位への送り戻し信号を送信した場合に送信先の下位の階層の子機４０からのＡＣＫ信号が受信されない場合は、同期受信待ち時間の経過（ステップ６−１２）によってステップ２の待機状態へと移行する。なお、ステップ６−８と６−９の階層補正は、同じ動作であり、図１９に示すごとく、まず子機４０に設定されている階層補正データａが現在「４」か否か判別され（ステップ６−８−１）、階層補正データａが「４」であればその子機４０は第４階層に設定される（ステップ６−８−２）。また、階層補正データａが「４」以外であれば、階層が「ａ＋１」とされる（ステップ６−８−３）。すなわち、階層補正データａが、「０」、「１」、「２」、「３」であれば、階層は、それぞれに第１、第２、第３、第４階層となる。また、この階層補正データａの更新は、図２１に示すごとく、現在設定されている階層補正データａと受信された同期信号の階層を比較し（ステップ６−５−１）、階層補正データａが受信した同期信号の階層よりも大きければ、階層補正データａを受信した同期信号の階層に更新し（ステップ６−５−２）、ステップ６−５−１で階層補正データａが受信した同期信号の階層よりも大きくなければ、階層補正データａはそのままとする。かかる階層補正と階層補正データａの更新により、子機４０が適正な階層に自動的に設定されて、１つ上位の階層の他の子機４０または親機１０に呼び出し信号を送信することができる。そして、ステップ６−１１の下位中継準備は、図２０に示すごとく、下位の階層から受信した呼び出し信号を上位に中継するのを失敗した場合であり、受信した呼び出し信号のコマンドを送り戻しを示す信号に書き換えて送り戻し信号に変換する。ステップ７のデータ送信は、図２２に示すごとく、信号のコマンドから上位へ送信する呼び出し信号か下位へ送信する送り戻し信号かを判別する（ステップ７−１）。上位への送信であれば、上位からの同期信号を受信して、この同期信号に記録されている送信元を送信先として自己の固有番号を送信元としてアドレスに記録する（ステップ７−２）。さらに、送信履歴を下位方向に１つシフトさせてその最上位に自己の固有番号を付加し（ステップ７−３）、呼び出し信号を送信（ステップ７−４）してステップ８のＡＣＫ受信待ちに移行する。また、ステップ７−１で、下位へ送信する送り戻し信号と判別すると、送り戻し信号の送信履歴の最上位の固有番号をアドレスの送信先に設定する（ステップ７−５）。さらに、送信先に設定した送信履歴の最上位の固有番号を削除して上位方向に１つシフトさせ（ステップ７−６）、その送り戻し信号を送信する（ステップ７−４）。
【００５１】
かかる動作を図１０を参照して、詳しく説明する。第４階層の子機４０ｄから、呼び出し信号の送信が開始されて上位へ中継されて第１階層の子機４０ａまで転送されると、送信履歴には第４、第３、第２、第２階層の子機４０ｄ、４０ｃ、４０ｂのそれぞれの固有番号が下位方向から順次に記録されており、第１階層の子機４０ａはこれらの送信履歴を下位方向に１つシフトさせてさらに自己の固有番号ａａを最上位に付加して、親機１０に向けて送信する。ここで、送信履歴の容量が限られていて、送信履歴から第４階層の固有番号ｄｄが削除されている。そして、親機１０への送信が失敗すると、第１階層の子機４０ａは、第２階層から受信した呼び出し信号のコマンドに送り戻しを示す信号を記録するとともに、送信履歴の最上位の第２階層の固有番号ｂｂを送信先としてアドレスに記録し、さらにその送信履歴の最上位にある固有番号ｂｂを削除して上位方向にシフトして第３階層の固有番号ｃｃが最上位となるようにして、この送り戻し信号を第２階層の子機４０ｂに送信する。ここで、送信履歴の最下位には固有番号の記録はない。かかる送り戻し信号を受信した第２階層の子機４０ｂは、同様にして、送信履歴の最上位にある固有信号ｃｃを送信先としてアドレスに記録するとともに最上位にある固有番号ｃｃを削除して、第３階層の子機４０ｃに転送する。さらに、同様にして、第３階層の子機４０ｃから第４階層の子機４０ｄに転送される。第４階層の子機４０ｄに転送された送り戻し信号の送信履歴には、固有番号の記録が全くない状態となっている。そこで、図１６のステップ５−３に示すごとく、送り戻し信号を受信してその送信履歴に固有番号の記録がなければ、自己から送信を開始した呼び出し信号が途中の中継で失敗して送り戻されたものと判断して、ステップ９の送信エラーとする。また、送信履歴に固有番号の記録があれば、さらに下位へ転送がなされる。送信履歴の容量を子機４０、４０…が設定される階層の数より１つ少なくて足りる。
【００５２】
そして、ステップ７のデータ送信が終了してステップ８のＡＣＫ受信待ちに移行すると、図２３に示すごとく、ＡＣＫ待ち時間の進行が開始され、その測定が開始される（ステップ８−１）。そして、受信待ち時間内（ステップ８−２）にＡＣＫ信号が受信されると（ステップ８−３）、信号の送信が成功したものとしてステップ２の待機状態へと移行する。しかし、受信待ち時間内にＡＣＫ信号を受信できずに時間が経過すると、信号の送信は失敗であり、再度の送信のためにステップ６の同期受信待ちの受信待ち時間測定開始のステップ６−１の後段に移行する。
【００５３】
かかる構成と動作による本発明の呼び出し表示装置の第１実施例にあっては、親機１０を第０階層とし、複数台の子機４０、４０…を第１階層から複数階層に設定し、子機４０の送信スイッチ４２が操作されると、親機１０または１つ上位の階層の他の子機４０の同期信号を受信して自己の呼び出し信号を送信し、子機４０が１つ下位の階層の他の子機４０からの呼び出し信号を受信すると、これを親機１０または１つ上位の階層の他の子機４０に中継するので、親機１０からの同期信号を直接的には受信できないエリア内に配設された子機４０であっても、他の子機４０の中継により、自己の呼び出し信号を親機に送信することができる。もって、従来のこの種の技術のごとき中継機を必要としない。また、下位の子機４０からの呼び出し信号を受信した親機１０または他の子機４０は、呼び出し信号を送信した他の子機４０に対してＡＣＫ信号を送信するので、呼び出し信号を送信した子機４０は、通信が成功したことを確認することができる。しかも、子機４０は、自己が受信できる親機１０または上位の階層にある他の子機４０からの同期信号に応じて、自己の階層を受信できる同期信号の最上位の階層の１つ下位の階層に修正設定するので、子機４０の配設位置を変更しても、適正な階層に補正される。そこで、店内の配置換えにより子機４０の位置を任意に変更しても、何ら不具合を生ずることがない。さらに、自己の呼び出し信号を親機１０または１つ上位の他の子機４０への送信が失敗すると、警告表示がなされる。また、自己から送信を開始した呼び出し信号が、他の子機４０による中継で親機１０まで送信されずに途中で失敗すると、送り戻し信号として送信履歴を逆にたどって、自己のところまで送り戻され、しかも自己が送信を開始した呼び出し信号の送り戻し信号であることを判別できて警告表示がなされる。もって、送信経路のいずれで送信に失敗しても、送信を開始した子機４０で警告表示がなされるので、通信の信頼性が確保できる。
【００５４】
次に、本発明の第２実施例を図２４ないし図２７を参照して説明する。図２４は、本発明の呼び出し表示装置の第２実施例で、第１実施例の図２０の下位中継準備に代えて、第１実施例の図１８のステップ６−１１に代えて組み込まれる下位中継準備のフローチャートである。図２５は、第２実施例で、第１実施例の図２２のデータ送信に代えて、図５のステップ７として組み込まれるデータ送信のフローチャートである。図２６は、第２実施例で、第１実施例の図１６のＡＣＫ送信に代えて、図５のステップ５として組み込まれるＡＣＫ送信のフローチャートである。図２７は、第２実施例における中継により上位に転送されるときの呼び出し信号の送信履歴の内容と、中継に失敗したときに送り戻される送り戻し信号の送信履歴の内容の変更を示す例である。第２実施例において、第１実施例と同じまたは均等な構造および動作の部分については、重複する説明を省略した。
【００５５】
まず、第２実施例の下位中継準備にあっては、図２４に示すごとく、下位から受信した呼び出し信号を１つ上位の階層に中継する際に、上位の階層からの同期信号またはＡＣＫ信号が受信できずに、送信に失敗したとするとと、１つ上位の階層に送信しようとした呼び出し信号のコマンドを送り戻しを示す信号に書き換えて送り戻し信号に変換する（ステップ６−１５）。ここで、第１実施例では下位の階層から受信した呼び出し信号を用いて送り戻し信号を作成するので、上位の階層への送信が成功したことが確認できるまで、下位の階層から受信した呼び出し信号を保存する必要がある。しかし、第２実施例では上位の階層に送信しようとした呼び出し信号を用いて送り戻し信号を作成するので、下位の階層から受信した呼び出し信号の保存を必要としない。
【００５６】
そして、第２実施例のデータ受信にあっては、図２５に示すごとく、下位の階層へ送り戻し信号を送信する場合は、ステップ６−１５で作成された送り戻し信号の上位の階層への送信先であった送信履歴の最上位の固有番号を削除（ステップ７−７）して上位方向に１つシフトする。さらに、この削除とシフトにより送信履歴の最上位となった固有番号をアドレスの送信先に設定する（ステップ７−８）。そして、データ送信（ステップ７−４）がなされる。なお、ステップ７−１から７−４に至る動作は、第１実施例と同じである。
【００５７】
そしてさらに、第２実施例のＡＣＫ送信にあっては、送り戻し信号を受信してＡＣＫ信号を送信（ステップ５−２）すると、送り戻し信号の送信履歴に自己の固有番号のみが記録されているか否かが判別される（ステップ５−４）。送信履歴に自己の固有番号のみが記録されていれば、受信した送り戻し信号は自己から送信を開始した呼び出し信号が途中で中継に失敗して送り戻されたものと判別でき、ステップ９の送信エラーを経てステップ２の待機状態に移行する。ステップ５−４で、送信履歴に自己の固有番号のみでなく他の子機４０の固有番号も存在すれば、さらに下位の階層への中継がなされる。
【００５８】
かかる構成の第２実施例における呼び出し信号と送り戻し信号の中継における送信履歴の内容の変化を図２７を参照して詳しく説明する。第４階層の子機４０ｄから呼び出し信号の送信が開始されて上位へ中継されて第１階層の子機４０ａまで転送されると、送信履歴には第４、第３、第２階層の子機４０ｄ、４０ｃ、４０ｂのそれぞれの固有番号が下位方向から順次に記録されており、第１階層の子機４０ａはさらに自己の固有番号ａａを最上位に付加して、親機１０に向けて送信する。ここで、送信履歴の容量は、第４から第１階層の固有番号がそれぞれに記憶される階層の数の「４」つほど必要である。そして、親機１０への送信が失敗すると、第１階層の子機４０ａは、親機１０に送信しようとした呼び出し信号のコマンドに送り戻しを示す信号を記録して送り戻し信号に変換し、送信履歴の最上位の自己の固有番号ａａを削除して上位方向へ１つシフトし、送信履歴の新たに最上位となった第２階層の固有番号ｂｂをアドレスの送信先に設定して、これを第２階層の子機４０ｂに送信する。かかる送り戻し信号を受信した第２階層の子機４０ｂは、同様にして、送信履歴の最上位にある固有信号ｂｂを削除してシフトし、新たに最上位となった第３階層の子機４０ｃの固有番号ｃｃを送信先としてアドレスに記録して、これを第３階層の子機４０ｃに転送する。さらに、同様にして、第３階層の子機４０ｃから第４階層の子機４０ｄに転送される。第４階層の子機４０ｄに転送された送り戻し信号の送信履歴には、自己の固有番号ｄｄのみが記録されている状態となっている。そこで、図２６のステップ５−４に示すごとく、送り戻し信号を受信してその送信履歴に自己の固有番号のみが記録されていると、自己から送信を開始した呼び出し信号が途中の中継が失敗して送り戻されたものと判断して、ステップ９の送信エラーとする。また、送信履歴に自己の固有番号のみでなく他の子機の固有番号も記録されていれば、さらに下位へ転送がなされる。かかる第２実施例にあては、送り戻し信号を、上位の階層に送信しようとした呼び出し信号を用いて作成するので、第１実施例のごとく、送信が成功したか否かを確認できるまで下位から受信した呼び出し信号を保存する必要がない。
【００５９】
さらに、本発明の第３実施例を図２８ないし図３４を参照して説明する。図２８は、本発明の呼び出し表示装置の第３実施例の親機と各階層に設定された子機との間の通信関係を示す図であるで、図２９は、本発明の第３実施例で、第１実施例の図１８に代えて、図５のステップ６の残りの部分として組み込む同期受信待ちの残りの部分のフローチャートである。図３０は、第３実施例で、第１実施例の図２３に代えて、図５のステップ８として組み込まれるＡＣＫ受信待ちのフローチャートである。図３１は、図２９のステップ６−１３の階層補正データ更新１のフローチャートである。図３２は、図２９のステップ６−１４の階層補正データ更新２のフローチャートである。図３３は、図３０のステップ８−５の階層補正１のフローチャートである。図３４は、図２９のステップ６−１２の階層補正２のフローチャートである。第３実施例で、第１実施例と同じまたは均等な構造および動作の部分については、重複する説明を省略した。
【００６０】
第２実施例にあっては、図２８に示すごとく、１台の親機１０と複数台の子機４０、４０…とからなり、第１実施例と同様に、親機１０の同期信号が受信できるエリア内にある子機４０ａを第１階層とし、親機１０からの同期信号は受信できないが第１階層の子機４０ａからの同期信号を受信できるエリア内の子機４０ｂを第２階層とし、順次に子機４０、４０…の階層が設定される。しかるに、第３実施例にあっては、何らかの通信状況の変化で、例えば第３階層にある子機４０ｅが親機１０または第１階層にある子機４０ａからの同期信号も受信できると、これに応じて、第２階層の子機４０ｂを介することなく、２つ以上上位の階層の親機１０または第１階層の子機４０ａにも呼び出し信号を送信できるようにしたものである。同様に、第４階層にある子機４０ｆが何らかの理由で２つ以上上位の階層にある親機１０または第１と第２の階層にある子機４０ａ、４０ｂの同期信号も受信できるならば、直接これらの親機１０または第１と第２の階層にある子機４０ａ、４０ｂに呼び出し信号を送信できるようにしたものである。第２階層にある子機４０ｂが、親機１０からの同期信号を受信できれば、親機１０に直接に呼び出し信号を送信できることは勿論である。
【００６１】
かかる動作をさせるために、第３実施例にあっては、図５のステップ６の同期信号受信待ちの図１８に示される残りの部分で、図２９に示すごとく、同期信号受信待ち時間が経過すると（ステップ６−３）、まず後述する階層補正２（ステップ６−１２）を経て上位への中継か否かが判別され（ステップ６−１０）、上位への中継であれば上位階層への呼び出し信号の中継に失敗したためであり、下位中継準備（ステップ６−１１）を経て再びステップ６の同期信号受信待ちに移行する。また、ステップ６−１０で上位への中継でないと判別されると、それは送信スイッチ４２が操作されて自己から送信を開始した呼び出し信号の送信に失敗ものであり、ステップ９の送信エラーを経てステップ２の待機状態に移行する。そして、ステップ６−３の同期信号受信待ち時間が未だ経過していない状態で同期信号が受信されると、後述する階層補正データ更新１（ステップ６−１３）を経て受信した同期信号が上位階層からか否かが判別される（ステップ６−６）。受信した同期信号が上位階層からのものであれば、後述する階層補正データ更新２（ステップ６−１４）を経てステップ７のデータ送信に移行する。
【００６２】
また、図５のステップ８のＡＣＫ受信待ちで、図３０に示すごとく、ステップ８−３でＡＣＫ信号が受信されると、受信したＡＣＫ信号が下位からのものか上位からのものか判別して（ステップ８−４）、下位からのものであると判別すると、下位への中継が終了したと判別されて、ステップ２の待機状態に移行する。受信したＡＣＫ信号が下位からのものでなければ、後述する階層補正１（ステップ８−５）を経て、ステップ２の待機状態へ移行する。
【００６３】
図２９のステップ６−１３の階層補正データ更新１にあっては、図３１に示すごとく、まず受信した同期信号の階層が、現在の自己の階層より上位か否かが判別され（ステップ６−１３−１）、上位であれば受信した同期信号の階層が現在保存している階層補正データｂより下位か否かが判別され（ステップ６−１３−２）、下位であれば受信した同期信号の階層を階層補正データｂとして保存し（ステップ６−１３−３）、動作を終了する。ステップ６−１３−２で、下位でなければ、階層補正データｂを変更せずに動作を終了する。また、ステップ６−１３−１で、上位でなければ、受信した同期信号の階層が現在保存する別の階層補正データｃより上位か否かが判別され（ステップ６−１３−４）、上位であれば、受信した同期信号の階層を階層補正データｃとして保存して（ステップ６−１３−５）、動作を終了する。ステップ６−１３−４で上位でなければ、階層補正データｃを変更することなしに動作を終了する。図２９のステップ６−１４の階層補正データ更新２にあっては、図３２に示すごとく、受信した同期信号の階層を階層補正データｄとして保存して、動作を終了する。図３１にあっては、受信した同期信号の階層が自己の現在の階層より上位であると、受信した同期信号の階層の中で最も下位の階層を階層補正データｂとして保存する。例えば、現在の自己の階層が第３階層であり、第０、１、２階層からの同期信号を受信できたとすれば階層補正データｂは「２」となる。また、第０階層からのみ同期信号が受信できたとすれば、階層補正データｂは「０」となる。そして、受信した同期信号の階層が自己の現在の階層と同位または下位であると、受信した同期信号の中で最も上位の階層を階層補正データｃとして保存する。例えば、現在の自己の階層が第２階層であり、第２、３、４階層からの同期信号を受信できるとすれば、階層補正データｃは、「２」となる。また、第３、４からの同期信号が受信されるとすれば、階層補正データｃは「３」となる。
【００６４】
さらに、図３０のステップ８−５の階層補正１は、図３３に示すごとく、現在の自己の階層を、階層補正データｄ＋１とする。また、図２９のステップ６−１２の階層補正２は、図３４に示すごとく、上位階層からの同期信号を受信したか否かが判別され（ステップ６−１２−１）、上位からの同期信号が受信できれば、自己の階層を階層補正データｂ＋１として動作を終了する。また、ステップ６−１２−１で、上位の同期信号の受信でないことが判別され、さらに同位または下位からの同期信号が受信されるのが判別すると（ステップ６−１２−３）、自己の階層を階層補正データｃ＋１として動作を終了する。さらに、ステップ６−１２−３で同位または下位からの同期信号も受信できないことが判別すれば、同期信号が全く受信されない場合であり、自己の階層を最も下位の階層である４として動作を終了する。
【００６５】
図３３にの階層補正１あっては、ＡＣＫ信号が受信された後で、上位への呼び出し信号の送信が正常に終了した場合に、送信先の階層を示す階層補正データｄの１つ下位の階層である「ｄ＋１」に自己の階層を補正する。例えば、第３階層にある子機４０ｃが第１階層にある子機４０ａに呼び出し信号を正常に送信できれば、自己を第２階層に補正する。また、図３４にあっては、同期信号受信待ち時間が経過した場合（ステップ６−３）の階層補正であって、呼び出し信号の送信に失敗した場合である。そして、自己より上位の階層からの同期信号を受信していれば、その中の最も下位の階層を示す階層補正データｂの１つ下位の階層「ｂ＋１」に自己の階層を補正する。また、自己より上位の階層からの同期信号が受信できず、同位または下位の階層からの同期信号が受信できれば、その中の最も上位の階層を示す階層補正データｃの１つ下位の階層である「ｃ＋１」に自己の階層を補正する。さらに、同期信号が全く受信できない場合は、最下位の階層である第４階層に自己の階層を補正する。
【００６６】
かかる第３実施例にあては、１つ上位の階層に限られず、２つ以上上位の階層からの同期信号が受信できれば、これに応じて呼び出し信号を送信する。そして、ＡＣＫ信号の受信がなされて、正常に送信が終了したことが確認できると、その後に自己の階層を送信先の階層より１つ下位の階層に補正する。そこで、２つ以上上位の階層からの同期信号を受信して呼び出し信号を送信したが、ＡＣＫ信号が正常に受信できない場合には、自己の階層を送信先の階層の１つ下位に補正するようなことがない。なお、下位の階層から送信された呼び出し信号を受信した親機１０または子機４０は、呼び出し信号のアドレスに記録されている送信元を送信先としてＡＣＫ信号を送信しており、いずれの階層の子機４０からの呼び出し信号を受信してもその子機４０に対してＡＣＫ信号を送信する。
【図面の簡単な説明】
【００６７】
【図１】本発明の呼び出し表示装置の一実施例の親機と各階層に設定された子機の通信関係を示す図である。
【図２】本発明の呼び出し表示装置の第１実施例の親機の機能ブロック図である。
【図３】図２に示す親機の状態遷移図である。
【図４】本発明の呼び出し表示装置の第１実施例の子機の機能ブロック図である。
【図５】図４に示す子機の状態遷移図である。
【図６】送受信される信号のフォーマットの一例を示す図である。
【図７】親機と第１階層の子機または１つ階層の異なる子機間の信号の送受信のタイミングを示すタイミングチャートである。
【図８】ある階層に設定された子機が移動されて異なる階層となるエリア内に配設されたときの階層の補正を示す図である。
【図９】子機による中継機能で上位への呼び出し信号の転送が失敗すると下記の階層の子機に送り戻し信号を送り戻すことを示す図である。
【図１０】中継により上位に転送されるときの呼び出し信号の送信履歴の内容と、転送が失敗して送り戻し信号を送り戻すときの送信履歴の内容を示す図である。
【図１１】図３のステップ１、２の動作を示すフローチャートである。
【図１２】図３のステップ３の動作を示すフローチャートである。
【図１３】図３のステップ４の動作を示すフローチャートである。
【図１４】図３のステップ５の動作を示すフローチャートである。
【図１５】図５のステップ１、２の動作を示すフローチャートである。
【図１６】図５のステップ５の動作を示すフローチャートである。
【図１７】図５のステップ６の動作の一部を示すフローチャートである。
【図１８】図５のステップ６の動作の残りの一部を示すフローチャートである。
【図１９】図１８のステップ６−８の階層補正の動作を示すフローチャートである。
【図２０】図１８の下位中継準備の動作を示すフローチャートである。
【図２１】図１８の階層補正データ更新の動作を示すフローチャートである。
【図２２】図５のステップ７の動作を示すフローチャートである。
【図２３】図５のステップ８の動作を示すフローチャートである。
【図２４】本発明の呼び出し表示装置の第２実施例で、第１実施例の図２０の下位中継準備に代えて、第１実施例の図１８のステップ６−１１の代わりに組み込まれる下位中継準備のフローチャートである。
【図２５】第２実施例で、第１実施例の図２２のデータ送信に代えて、図５のステップ７として組み込まれるデータ送信のフローチャートである。
【図２６】第２実施例で、第１実施例の図１６のＡＣＫ送信に代えて、図５のステップ５として組み込まれるＡＣＫ送信のフローチャートである。
【図２７】第２実施例における中継により上位に転送されるときの呼び出し信号の送信履歴の内容と、中継に失敗したときに送り戻される送り戻し信号の送信履歴の内容の変更を示す例である。
【図２８】本発明の呼び出し表示装置の第３実施例の親機と各階層に設定された子機との間の通信関係を示す図である。
【図２９】本発明の第３実施例で、第１実施例の図１８に代えて、図５のステップ６の残りの部分として組み込む同期受信待ちの残りの部分のフローチャートである。
【図３０】第３実施例で、第１実施例の図２３に代えて、図５のステップ８として組み込まれるＡＣＫ受信待ちのフローチャートである。
【図３１】図２９のステップ６−１３の階層補正データ更新１のフローチャートである。
【図３２】図２９のステップ６−１４の階層補正データ更新２のフローチャートである。
【図３３】図３０のステップ８−５の階層補正１のフローチャートである。
【図３４】図２９のフローチャートのステップ６−１２の階層補正２のフローチャートである。
【符号の説明】
【００６８】
１０  親機
１２  無線手段
１４  表示手段
１６  取消スイッチ
１８、４６  マイコン
２０  無線制御手段
２２、５２  アプリケーション
２４  同期送信処理
２６  データ識別処理
２８  データ受信処理
３０  ＡＣＫ送信処理
４０  子機
４２  送信スイッチ
４４  警告表示手段
４８  階層識別処理
５０  送信プロトルコ管理処理
５４  データ送信処理
【図１】
2008205884.tif 000003
【図２】
2008205884.tif 000004
【図３】
2008205884.tif 000005
【図４】
2008205884.tif 000006
【図５】
2008205884.tif 000007
【図６】
2008205884.tif 000008
【図７】
2008205884.tif 000009
【図８】
2008205884.tif 000010
【図９】
2008205884.tif 000011
【図１０】
2008205884.tif 000012
【図１１】
2008205884.tif 000013
【図１２】
2008205884.tif 000014
【図１３】
2008205884.tif 000015
【図１４】
2008205884.tif 000016
【図１５】
2008205884.tif 000017
【図１６】
2008205884.tif 000018
【図１７】
2008205884.tif 000019
【図１８】
2008205884.tif 000020
【図１９】
2008205884.tif 000021
【図２０】
2008205884.tif 000022
【図２１】
2008205884.tif 000023
【図２２】
2008205884.tif 000024
【図２３】
2008205884.tif 000025
【図２４】
2008205884.tif 000026
【図２５】
2008205884.tif 000027
【図２６】
2008205884.tif 000028
【図２７】
2008205884.tif 000029
【図２８】
2008205884.tif 000030
【図２９】
2008205884.tif 000031
【図３０】
2008205884.tif 000032
【図３１】
2008205884.tif 000033
【図３２】
2008205884.tif 000034
【図３３】
2008205884.tif 000035
【図３４】
2008205884.tif 000036